(57)【要約】【課題】本発明は、ファイバの着脱が容易であり、且つファイバ接続の精度に優れた光コネクタ及びファイバ取り付け工具を提供することを目的とする。【解決手段】本発明に係る光コネクタは、ファイバ芯線を固定するための固定モジュールを備える。固定モジュールは、第一定位槽が設けられている固定部を有する芯線保持部材及び係合アセンブリを備える。係合アセンブリは、係合部材と、弾性部材と、第二定位槽が設けられている固定部材及び押圧部材と、を備える。固定部材が固定部と当接されることによって、第一定位槽と第二定位槽とは共にファイバ芯線を固定する芯線保持孔を形成する。弾性部材は、固定部材に弾性力を付与する。【選択図】図３
2013041279.tif 000002
【特許請求の範囲】
【請求項１】
ファイバ芯線を固定するための固定モジュールを備える光コネクタにおいて、
前記固定モジュールは、芯線保持部材及び係合アセンブリを備え、
前記芯線保持部材は、固定部を備え、前記固定部には、第一定位槽が設けられ、
前記係合アセンブリは、係合部材と、弾性部材と、固定部材及び押圧部材と、を備え、
前記固定部材には、第二定位槽が設けられ、前記押圧部材及び係合部材は、前記芯線保持部材の両側にそれぞれ係合され、前記固定部材は、前記芯線保持部材内に設けられる一方、前記固定部と当接されて、前記固定部材と前記固定部とが当接されることによって、前記第一定位槽と前記第二定位槽とは、共にファイバ芯線を固定する芯線保持孔を形成し、前記弾性部材は、前記芯線保持部材内に設けられ、且つ前記固定部材と前記係合部材との間に設置されて前記固定部材に弾性力を付与することを特徴とする光コネクタ。
【請求項２】
前記係合部材には、係合鈎部が形成されており、前記芯線保持部材の両端には、係合槽がそれぞれ形成されており、前記係合鈎部と前記係合槽との係合によって、前記係合部材は前記芯線保持部材に固定されることを特徴とする請求項１に記載の光コネクタ。
【請求項３】
前記弾性部材は、弧形の板状を呈する主体部及び該主体部の両側から湾曲して形成されている支持部を備え、前記支持部は、前記係合部材に当接され、前記主体部の頂部は、前記固定部材に当接されることを特徴とする請求項１または２に記載の光コネクタ。
【請求項４】
前記押圧部材には、押圧部が突設されており、前記固定部の前記第一定位槽の両側には、前記芯線保持部材の軸線に平行で、且つ前記押圧部が挿入される挿入槽がそれぞれ設けられていることを特徴とする請求項１から３のいずれか一項に記載の光コネクタ。
【請求項５】
前記固定部の、前記第一定位槽が形成されておらず、且つ前記押圧部材に対向する面には、ガイド孔が設けられており、前記押圧部材には、前記ガイド孔に挿入されるガイド柱が突設されていることを特徴とする請求項１から４のいずれか一項に記載の光コネクタ。
【請求項６】
前記光コネクタは、フェルール及び固定スリーブをさらに備え、前記芯線保持部材の一端には、前記フェルールを装着するための第一挿入孔が設けられており、前記芯線保持部材の他端には、前記固定スリーブを装着するための第二挿入孔が設けられており、前記第一挿入孔及び前記第二挿入孔は、同軸上に形成され、且つ連通されていることを特徴とする請求項１から５のいずれか一項に記載の光コネクタ。
【請求項７】
前記光コネクタは、前記固定モジュールを収納する内部ハウジング及び該内部ハウジングを収納する外部ハウジングをさらに備え、前記内部ハウジング及び前記外部ハウジングの前記押圧部材に対応する箇所には、前記押圧部材を押圧するための押圧孔がそれぞれ設けられていることを特徴とする請求項１から６のいずれか一項に記載の光コネクタ。
【請求項８】
請求項１から７のいずれか一項に記載の光コネクタにファイバを取り付けることに用いられるファイバ取り付け工具において、
前記ファイバ取り付け工具は、回転可能に連結された第一クランプアーム及び第二クランプアームを備え、
前記第一クランプアームは、第一操作部と、クランプ部と、前記第一操作部と前記クランプ部とを連結する第一連結部と、を含み、前記第二クランプアームは、第二操作部と、押下部と、前記第二操作部と前記押下部とを連結する第二連結部と、を含み、前記押下部の前記クランプ部に対向する面には、前記押圧部材を押圧するための押下突起が突設されていることを特徴とするファイバ取り付け工具。
【発明の詳細な説明】
【技術分野】
【０００１】
本発明は、コネクタに関し、特に光コネクタ及びファイバ取り付け工具に関するものである。
【背景技術】
【０００２】
ＦＴＴＨ（Ｆｉｂｅｒ  Ｔｏ  Ｔｈｅ  Ｈｏｍｅ）が普及することにより、ファイバの接続が必要となり、ファイバ接続の精度を向上させ、且つ光コネクタの使用コストを下げるために、再利用可能な光コネクタが開発された。従来の光コネクタにおいて、環状部材は、ファイバ保持機構の外周に設けられ、且つ前記環状部材のスライドによって、前記ファイバ保持機構のクランプ力を調節して、ファイバの挿入及び固定を容易にする。しかし、ファイバの着脱において、前記環状部材を前記ファイバ保持機構に対して、繰り返しスライドさせるので、使用に不便であり、且つ幾度となく行われるスライドによる摩擦によって、前記環状部材及び前記ファイバ保持機構は摩損されて、前記ファイバが固定できない状況が生じる。従って、ファイバの接続に影響を与えてしまう。
【発明の概要】
【発明が解決しようとする課題】
【０００３】
以上の問題点に鑑みて、本発明は、ファイバの着脱が容易であり、且つファイバ接続の精度に優れた光コネクタ及びファイバ取り付け工具を提供することを目的とする。
【課題を解決するための手段】
【０００４】
前記課題を解決するために、本発明に係る光コネクタは、ファイバ芯線を固定するための固定モジュールを備える。前記固定モジュールは、芯線保持部材及び係合アセンブリを備え、前記芯線保持部材は、固定部を備え、前記固定部には、第一定位槽が設けられ、前記係合アセンブリは、係合部材と、弾性部材と、固定部材及び押圧部材と、を備え、前記固定部材には、第二定位槽が設けられ、前記押圧部材及び係合部材は、前記芯線保持部材の両側にそれぞれ係合され、前記固定部材は、前記芯線保持部材内に設けられる一方、前記固定部と当接されて、前記固定部材と前記固定部とが当接されることによって、前記第一定位槽と前記第二定位槽とは、共にファイバ芯線を固定する芯線保持孔を形成し、前記弾性部材は、前記芯線保持部材内に設けられ、且つ前記固定部材と前記係合部材との間に設置されて前記固定部材に弾性力を付与する。
【０００５】
また、前記課題を解決するために、本発明に係るファイバ取り付け工具は、上述した光コネクタにファイバを取り付けることに用いられる。前記ファイバ取り付け工具は、回転可能に連結された第一クランプアーム及び第二クランプアームを備え、前記第一クランプアームは、第一操作部と、クランプ部と、前記第一操作部と前記クランプ部とを連結する第一連結部と、を含み、前記第二クランプアームは、第二操作部と、押圧部と、前記第二操作部と前記押圧部とを連結する第二連結部と、を含み、前記押圧部の前記クランプ部に対向する面には、前記押圧部材を押圧するための押圧突起が突設されている。
【発明の効果】
【０００６】
本発明に係る光コネクタにファイバ芯線を固定する過程において、押圧部材のみを押圧すれば、前記押圧部材は固定部材を押圧し、前記固定部材は弾性部材を押圧する。この時、前記弾性部材は弾性変形されて、前記固定部材と芯線保持部材の固定部との間に間隙が形成され、該間隙の形成によって、ファイバ芯線の挿入は容易になる。また、前記押圧部材に対する押圧を解除すれば、前記弾性部材の弾性復帰によって、前記固定部材は、前記芯線保持部材の固定部に当接されて、前記芯線保持孔を形成し、前記芯線保持孔内に前記ファイバ芯線が固定される。これにより、本発明に係る光コネクタは、操作が簡単で、且つファイバ芯線の固定の強度が向上される。
【図面の簡単な説明】
【０００７】
【図１】本発明に係る光コネクタの斜視図である。
【図２】本発明に係る光コネクタの分解図である。
【図３】図２に示した光コネクタにおける固定モジュールの分解図である。
【図４】図３に示した固定モジュールを別の視点から見た分解図である。
【図５】図２に示した光コネクタを部分的に組み立てた状態を示す図である。
【図６】図１に示した光コネクタのＶＩ−ＶＩ線に沿った断面図である。
【図７】図６に示したＶＩＩ部の拡大図である。
【図８】本発明に係る光コネクタにファイバ取り付け工具が取り付けられた状態を示す図である。
【図９】図８に示したＩＸ部の拡大図である。
【発明を実施するための形態】
【０００８】
以下、図面に基づいて、本発明に係る光コネクタ及びファイバ取り付け工具について詳細に説明する。
【０００９】
図１及び図２参照すると、本発明に係る光コネクタ１００は、ＳＣ型光コネクタであり、且つ固定モジュール１２と、前記固定モジュール１２の一端に装着されるフェルール１４と、前記固定モジュール１２の他端に装着される固定スリーブ１６と、内部に前記固定モジュール１２を収納する内部ハウジング２０と、内部に前記内部ハウジング２０を収納する外部ハウジング３０と、圧縮弾性体５０と、ファイバ把持部材７０と、前記ファイバ把持部材７０に結合されるファイバ被覆部９０と、を備える。
【００１０】
図３及び図４を参照すると、前記固定モジュール１２は、芯線保持部材１２２及び係合アセンブリ１２４を備える。
【００１１】
前記芯線保持部材１２２は、ほぼ円柱体であり、且つ前記フェルール１４と前記固定スリーブ１６から挿入されたファイバ芯線（図示せず）とを接続させる。前記芯線保持部材１２２の、前記フェルール１４に近接する一端には、前記フェルール１４を装着するための第一挿入孔１２２０が前記芯線保持部材１２２の軸線に沿って設けられ、前記芯線保持部材１２２の他端には、前記固定スリーブ１６を装着するための第二挿入孔１２２２が前記芯線保持部材１２２の軸線に沿って設けられている。前記芯線保持部材１２２の両端に近接する周縁には、係合槽１２２３がそれぞれ設けられている。前記芯線保持部材１２２の２つの係合槽１２２３の間には、互いに反対側に位置する面が窪んで形成された平板状の固定部１２２４が設置され、前記固定部１２２４には、ファイバの芯線を固定するための第一定位槽１２２５が設けられている。本実施形態において、前記第一定位槽１２２５は、Ｖ字形を呈する溝である。前記第一定位槽１２２５の延在方向の両端は、前記第一挿入孔１２２０と前記第二挿入孔１２２２とにそれぞれ連通されている。本実施形態において、前記第一定位槽１２２５の延在方向の両端には、ガイド用テーパ部１２２６が設けられており、ファイバの芯線を容易に挿入できる。前記固定部１２２４の第一定位槽１２２５の両側には、前記芯線保持部材１２２の軸線に平行な２つの挿入槽１２２７がそれぞれ設けられ、且つ各々の挿入槽１２２７の長手方向の両端には、ガイド孔１２２９がそれぞれ設けられている。前記ガイド孔１２２９と前記第一定位槽１２２５とは、前記固定部１２２４の互いに反対側に位置する面に各別に設置されている。
【００１２】
また、ファイバ芯線を固定するための前記第一定位槽１２２５は、円弧形を呈する溝であることもできる。
【００１３】
また、前記ガイド用テーパ部１２２６は、省略されることも、前記第一定位槽１２２５の延在方向の一端だけに設けることもできる。
【００１４】
前記係合アセンブリ１２４は、前記固定スリーブ１６から挿入されたファイバ芯線を固定することに用いられ、且つ係合部材１２４０と、弾性部材１２４２と、固定部材１２４４及び押圧部材１２４８と、を備える。
【００１５】
前記係合部材１２４０の断面は、ほぼＵ字形を呈し、且つその軸線は、前記芯線保持部材１２２の軸線と同軸である。前記係合部材１２４０は、プラスチックのような弾性材料からなる。前記係合部材１２４０の軸方向の両端には、前記芯線保持部材１２２の係合槽１２２３に係合される係合鈎部１２４１が２つずつ、且つ互いに対向して形成されている。前記係合部材１２４０は、前記芯線保持部材１２２に対して前記第一定位槽１２２５側から係合され、且つ前記係合鈎部１２４１と前記係合槽１２２３との係合によって固定される。
【００１６】
前記弾性部材１２４２は、弧形の板ばねであり、且つ前記係合部材１２４０内に収納される。前記弾性部材１２４２は、断面が弧形であり、且つ板状の主体部１２５０及び該主体部１２５０の両側から湾曲して形成されている支持部（図示せず）を備える。前記支持部は、円弧状を呈し、且つその湾曲方向は、前記主体部１２５０の湾曲方向と相反する。前記支持部は、前記係合部材１２４０に当接され、前記主体部１２５０の頂部は、前記固定部材１２４４に当接される。
【００１７】
また、前記弾性部材１２４２は、両端が前記係合部材１２４０及び前記固定部材１２４４に当接する弾性片又はスプリングであることができる。
【００１８】
前記固定部材１２４４は、板状であり、且つ前記芯線保持部材１２２の固定部１２２４と結合してファイバ芯線を固定する。前記固定部材１２４４には、前記芯線保持部材１２２の固定部１２２４の第一定位槽１２２５に対応する第二定位槽１２４５が形成されている。前記第二定位槽１２４５は、Ｖ字形を呈する溝である。前記第二定位槽１２４５の延在方向の両端には、前記第一定位槽１２２５の両端のガイド用テーパ部１２２６に対応するガイド用テーパ部１２４６が形成されている。前記固定部材１２４４は、前記係合部材１２４０内に収容される一方、前記弾性部材１２４２と前記芯線保持部材１２２の固定部１２２４との間に位置する。前記第二定位槽１２４５と前記第一定位槽１２２５とは、共に１つの芯線保持孔１２６（図７参照）を形成し、前記芯線保持孔１２６は、ファイバ芯線を収容及び定位（保持）させる。ファイバ芯線の固定を容易にするために、前記芯線保持孔１２６を形成する前記第一定位槽１２２５及び前記第二定位槽１２４５は同軸上に形成されることが好ましい。
【００１９】
また、前記ガイド用テーパ部１２４６は省略、又は前記第二定位槽１２４５の延在方向の一端だけに設けることもできる。
【００２０】
また、前記第二定位槽１２４５は、円弧形を呈する溝であることもできる。或いは省略することもでき、前記固定部材１２４４と前記芯線保持部材１２２の固定部１２２４とが協働してファイバ芯線を固定できればよい。
【００２１】
前記押圧部材１２４８は、断面がほぼ弧形の板状を呈する。前記押圧部材１２４８の頂部は、平板部１２４７であり、該平板部１２４７の長手方向の両側には、前記芯線保持部材１２２の固定部１２２４の挿入槽１２２７に対応し、平板部１２４７の長手方向に沿って延在する押圧部１２４３がそれぞれ突設されており、各々の前記押圧部１２４３の両端近傍には、前記芯線保持部材１２２の固定部１２２４のガイド孔１２２９に対応するガイド柱１２４９がそれぞれ突設されており、該ガイド柱１２４９の高さは、前記押圧部１２４３の高さよりやや低い。また、２つの押圧部１２４３それぞれの頂部には、他方の押圧部１２４３に向けて係合突出部が突設されている。前記押圧部材１２４８は、前記固定部１２２４の第一定位槽１２２５から離れている側から、押圧することによって、前記芯線保持部材１２２に結合され、且つ前記押圧部材１２４８の押圧部１２４３は、前記固定部１２２４の挿入槽１２２７に挿入されることによって、前記固定部１２２４に係合される一方、押圧部１２４３の上記係合突出部が前記固定部材１２４４にも当接される。この時、前記ガイド柱１２４９は、前記ガイド孔１２２９内に収容される。
【００２２】
再度図１を参照すると、前記内部ハウジング２０は、中空部を有し、前記中空部には、前記固定モジュール１２が収納、且つ固定されている。前記内部ハウジング２０の長手方向の一端には、段差孔２０２が設けられ、該段差孔２０２は、当接面（図示せず）を有し、前記内部ハウジング２０の長手方向の他端（内部ハウジング２０の前記ファイバ把持部材７０に近接する一端）の、互いに反対側に位置する側壁には、係合孔２０４がそれぞれ設けられている。該係合孔２０４が設けられている２つの側壁の、前記段差孔２０２に近い箇所には、係合突起２０６がそれぞれ突設されている。前記係合孔２０４が設けられている２つの側壁を連結する１つの連結側壁には、前記押圧部材１２４８を押圧するための押圧孔２０８が設けられている。
【００２３】
前記外部ハウジング３０は、前記内部ハウジング２０の外周に着脱可能に設置される。前記外部ハウジング３０には、前記内部ハウジング２０の係合突起２０６と対応する係合槽３０２及び前記内部ハウジング２０の押圧孔２０８と対応する押圧孔３０８が設けられている。本実施形態の前記外部ハウジング３０は、ＳＣ型アダプタと接続される。
【００２４】
また、本発明に係る光コネクタ１００は、前記外部ハウジング３０の構造を変えることにより、ＦＣ型或いはＬＣ型光コネクタとすることもできる。
【００２５】
前記圧縮弾性体５０は、前記固定モジュール１２を定位することに用いられる。
【００２６】
前記ファイバ把持部材７０は、ほぼ円筒状を呈し、且つ前記固定モジュール１２に近接する端部には、段差孔７０１が設けられており、該段差孔７０１は、当接面（図示せず）を有する。前記ファイバ把持部材７０の、前記段差孔７０１に近接する外周には、フランジ７０２が突設されている。前記フランジ７０２を基準として、前記段差孔７０１側の外周には、前記内部ハウジング２０の係合孔２０４に対応する係合突部７０４が突設されており、前記段差孔７０１から離れている側、つまり、前記フランジ７０２に近接する側の外周には、外ネジ部７０６が突設されている。
【００２７】
前記ファイバ被覆部９０は、ほぼ円筒状を呈し、且つ前記ファイバ把持部材７０に近接する開口の内周面には、前記ファイバ把持部材７０の外ネジ部７０６と螺合する内ネジ部９６が形成されている。前記ファイバ被覆部９０の開口から離れている一端には、ファイバを挿入するための貫通孔（図示せず）が設けられている。
【００２８】
図１乃至図５を参照すると、本発明に係る光コネクタ１００を組み立てる際、前記フェルール１４及び前記固定スリーブ１６を、前記固定モジュール１２の両端にそれぞれ固定し、前記押圧部材１２４８が、前記内部ハウジング２０の押圧孔２０８が形成されている側壁に対応するように、前記固定モジュール１２を前記内部ハウジング２０内に収容させる。次に、前記圧縮弾性体５０を、前記固定スリーブ１６の外周を覆うように設置すると共に、前記ファイバ把持部材７０を、前記内部ハウジング２０の一端に装着させる。この時、前記ファイバ把持部材７０の係合突部７０４は、前記内部ハウジング２０の係合孔２０４に係合され、前記圧縮弾性体５０の両端は、前記固定モジュール１２の一端及び前記ファイバ把持部材７０の段差孔７０１の当接面に当接される。また、前記固定モジュール１２は、その一端が前記圧縮弾性体５０に当接され、他端が前記内部ハウジング２０の段差孔２０２の当接面に当接されて、前記内部ハウジング２０内に固定される。次に、前記内部ハウジング２０の係合突起２０６は、前記外部ハウジング３０の係合槽３０２に係合される。この際、前記内部ハウジング２０の押圧孔２０８が前記外部ハウジング３０の押圧孔３０８と対応するように、前記外部ハウジング３０を前記内部ハウジング２０の外周に設置する。最後に、前記ファイバ把持部材７０の外ネジ部７０６と前記ファイバ被覆部９０の内ネジ部９６とを螺合させて、前記ファイバ被覆部９０を前記ファイバ把持部材７０に固定させる。
【００２９】
図６を併せて参照すると、組み立て後の前記光コネクタ１００における前記固定モジュール１２は、前記内部ハウジング２０内に固定されている。また、前記固定モジュール１２において、前記係合アセンブリ１２４の係合部材１２４０は、前記芯線保持部材１２２と係合され、前記弾性部材１２４２及び前記固定部材１２４４は、前記係合部材１２４０と前記芯線保持部材１２２の固定部１２２４との間に位置する。また、前記弾性部材１２４２の支持部は、前記係合部材１２４０に当接され、前記弾性部材１２４２の頂部は、前記固定部材１２４４に当接され、前記固定部材１２４４は、前記弾性部材１２４２と前記芯線保持部材１２２の固定部１２２４との間に位置する。この時、前記弾性部材１２４２の弾性力によって、前記芯線保持部材１２２の固定部１２２４の前記第一定位槽１２２５が形成されている表面と、前記固定部材１２４４の前記第二定位槽１２４５が形成されている表面と、が当接され、前記第一定位槽１２２５と前記第二定位槽１２４５とが協働して前記芯線保持孔１２６を形成し、該芯線保持孔１２６には、ファイバ芯線が収容されて、固定される。
【００３０】
図８及び図９を参照すると、前記光コネクタ１００にファイバを装着する際には、ファイバ取り付け工具３００が必要である。前記ファイバ取り付け工具３００は、クランプ工具であり、且つ第一クランプアーム３００２と、第二クランプアーム３００４と、トーションばね３００７及び回転軸３００８と、を含む。前記第一クランプアーム３００２及び前記第二クランプアーム３００４は、前記トーションばね３００７及び前記回転軸３００８を介して回転可能に連結されている。
【００３１】
前記第一クランプアーム３００２は、第一操作部３００５と、クランプ部３００６と、前記第一操作部３００５と前記クランプ部３００６とを連結する第一連結部（図示せず）と、を含み、前記第二クランプアーム３００４は、第二操作部３０１５と、押下部３０１６と、前記第二操作部３０１５と前記押下部３０１６とを連結する第二連結部（図示せず）と、を含む。前記第一クランプアーム３００２と前記第二クランプアーム３００４とは、前記第一連結部及び第二連結部において、前記トーションばね３００７及び前記回転軸３００８を介して連結される。前記第二操作部３０１５は、前記押下部３０１６に対して、前記第一操作部３００５から離れる方向に向かって、前記第二連結部で湾曲されている。前記押下部３０１６の前記クランプ部３００６に対向する面には、押下突起３０１７が突設されている。前記押下突起３０１７は、前記内部ハウジング２０の押圧孔２０８及び前記外部ハウジング３０の押圧孔３０８から挿入されて、前記押圧部材１２４８を押圧する。前記トーションばね３００７の両端は、前記第一操作部３００５及び該第一操作部３００５に対向する前記第二操作部３０１５にそれぞれ当接されて、前記トーションばね３００７の弾性復帰による反発力によって、前記押下部３０１６の押下突起３０１７に押圧力を付与する。前記トーションばね３００７の弾性力によって付与される押圧力は、前記弾性部材１２４２の弾性力より大きい。
【００３２】
前記光コネクタ１００にファイバを装着する際、前記押下突起３０１７が、前記外部ハウジング３０の押圧孔３０８に対応するように、前記ファイバ取り付け工具３００を前記外部ハウジング３０に固定させると、前記トーションばね３００７の弾性力によって、前記押下部３０１６の押下突起３０１７は、前記クランプ部３００６に向かって移動する。その移動過程において、前記押下突起３０１７は、前記内部ハウジング２０の押圧孔２０８及び前記外部ハウジング３０の押圧孔３０８から挿入されて、前記押圧部材１２４８を押圧して、前記固定部材１２４４が前記押圧部材１２４８と連動することによって、前記芯線保持部材１２２の固定部１２２４から離れるようにする。この時、前記弾性部材１２４２は弾性変形され、前記固定部材１２４４と前記芯線保持部材１２２の固定部１２２４との間に間隙１２８ができる。前記間隙１２８は、前記ガイド柱１２４９が、前記固定部１２２４のガイド孔１２２９の底面に当接される際、最大となる。この時、ファイバ（図示せず）の外皮の除去によって芯線が露出された一端を、前記ファイバ被覆部９０の端部から前記光コネクタ１００に挿入して、前記ファイバ芯線を前記第二定位槽１２４５内に設置させる一方、前記ファイバ芯線の端部を前記フェルール１４の芯孔に接続させる。
【００３３】
次に、前記ファイバ取り付け工具３００を前記光コネクタ１００から取り外せば、前記弾性部材１２４２の弾性復帰によって、前記固定部材１２４４は、前記芯線保持部材１２２の固定部１２２４に向かって移動して、前記固定部１２２４と当接する。従って、前記ファイバ芯線は、前記第一定位槽１２２５と前記第二定位槽１２４５とによって形成された芯線保持孔内に、前記フェルール１４の芯孔と接続した状態で固定される。
【００３４】
本発明に係る光コネクタ１００にファイバ芯線を固定する過程において、前記押圧部材１２４８のみを押圧すれば、前記押圧部材１２４８は前記固定部材１２４４を押圧し、前記固定部材１２４４は前記弾性部材１２４２を押圧する。この時、前記弾性部材１２４２は弾性変形されて、前記固定部材１２４４と前記芯線保持部材１２２の固定部１２２４との間に間隙１２８が形成され、該間隙１２８の形成によって、ファイバ芯線の挿入は容易になる。また、前記押圧部材１２４８に対する押圧を解除すれば、前記弾性部材１２４２の弾性復帰によって、前記固定部材１２４４は、前記芯線保持部材１２２の前記固定部１２２４に当接されて、前記芯線保持孔１２６を形成し、前記芯線保持孔１２６内に前記ファイバ芯線が固定される。これにより、本発明に係る光コネクタ１００は、操作が簡単で、且つファイバ芯線の固定の強度が向上される。
【００３５】
以上、本発明の好適な実施形態について詳細に説明したが、本発明は前記実施形態に限定されるものではなく、本発明の範囲内で種々の変形又は修正が可能であり、該変形又は修正もまた本発明の特許請求の範囲内に含まれるものであることは、言うまでもない。
【符号の説明】
【００３６】
１００  光コネクタ
１２  固定モジュール
１２２  芯線保持部材
１２２０  第一挿入孔
１２２２  第二挿入孔
１２２３、３０２  係合槽
１２２４  固定部
１２２５  第一定位槽
１２２６、１２４６  ガイド用テーパ部
１２２７  挿入槽
１２２９  ガイド孔
１２４  係合アセンブリ
１２６  芯線保持孔
１２８  間隙
１２４０  係合部材
１２４１  係合鈎部
１２４２  弾性部材
１２５０  主体部
１２４４  固定部材
１２４５  第二定位槽
１２４８  押圧部材
１２４７  平板部
１２４３  押圧部
１２４９  ガイド柱
１４  フェルール
１６  固定スリーブ
２０  内部ハウジング
２０２、７０１  段差孔
２０４  係合孔
２０６  係合突起
２０８、３０８  押圧孔
３０  外部ハウジング
５０  圧縮弾性体
７０  ファイバ把持部材
７０２  フランジ
７０４  係合突部
７０６  外ネジ部
９０  ファイバ被覆部
９６  内ネジ部
３００  ファイバ取り付け工具
３００２  第一クランプアーム
３００４  第二クランプアーム
３００５  第一操作部
３００６  クランプ部
３００７  トーションばね
３００８  回転軸
３０１５  第二操作部
３０１６  押下部
３０１７  押下突起
【図１】
2013041279.tif 000003
【図２】
2013041279.tif 000004
【図３】
2013041279.tif 000005
【図４】
2013041279.tif 000006
【図５】
2013041279.tif 000007
【図６】
2013041279.tif 000008
【図７】
2013041279.tif 000009
【図８】
2013041279.tif 000010
【図９】
2013041279.tif 000011